(57)【要約】      （修正有）【課題】背中の凝りをほぐすだけでなく、背中の筋力を適度に鍛錬することができるクッションを提供する。【解決手段】内部に弾材３が詰め込まれた長方体形状の本体２の一表面に、中央部に長さ方向に沿って大きく湾曲する第一の膨出部４を設けると共に、両端部に小さく湾曲する第二の膨出部５を設けて、第一の膨出部４と第二の膨出部５との間に下方に湾曲する第一の凹部６を形成する。さらに、第一の膨出部４内に、本体２内の弾材３よりも強い弾力の小片８を詰め込んだボール７を埋設した構成とし、本体２の反対側表面に、なだらかに湾曲する第二の凹部９を形成する。【選択図】図２
0003160051.tif 000002
【実用新案登録請求の範囲】
【請求項１】
内部に弾材（３）が詰め込まれた長方体形状の本体（２）の一表面に、中央部に長さ方向に沿って大きく湾曲する第一の膨出部（４）を設けると共に、両端部に小さく湾曲する第二の膨出部（５）を設けて、前記第一の膨出部（４）と第二の膨出部（５）との間に下方に湾曲する第一の凹部（６）を形成し、前記第一の膨出部（４）内に、前記本体（２）内の弾材（３）よりも強い弾力の小片（８）を詰め込んだボール（７）を埋設したことを特徴とするクッション。
【請求項２】
本体（２）の反対側表面に、なだらかに湾曲する第二の凹部（９）を形成したことを特徴とする請求項１に記載のクッション。
【考案の詳細な説明】
【技術分野】
【０００１】
本考案は、主として背中の血液循環を良好にし、且つ筋力を向上させるためのクッションに関するものである。
【背景技術】
【０００２】
椅子に腰かけて長時間にわたり机に向かっていたりすると、どうしても背中に負担がかかり、常に背中に緊張感がかかるため痛くなったり、血行が悪くなって凝りが生じたり、更には背骨が前かがみに曲がり猫背がちになってしまう。
【０００３】
また美容の面からも、背筋を伸ばすことにより特に女性の胸のラインを美麗に見せることができるものであり、背中に対する日頃の配慮は欠かせないものである。この観点から、例えば以下の如き発明の提案がある。
【先行技術文献】
【特許文献】
【０００４】
【特許文献１】特開平１１−２８１３７号公報
【特許文献２】特表２００５−５２５９１８号公報
【考案の概要】
【考案が解決しようとする課題】
【０００５】
この特許文献１の発明「背中伸ばしクッション」は、リング形状の本体に指圧器を装着した構成で、このクッションを椅子の背当てに配して、指圧器を背中に押し付け、凝った部分を適度に刺激しようとするものである。しかしながらこの構成では、刺激部位が限定され、単に一部の指圧効果が期待できる程度であって、背中の筋力を積極的に鍛えるものではない。
【０００６】
また、特許文献２の発明「運動用具」は、使用者が床面に足を置いて座ることのできる座部と上向き傾斜面を含む上部支持面とを備えた構成で、座部に座って上部支持面に寄りかかり、強制的にのけぞる等して背中の鍛錬を行おうとするものであるが、動作種類が限定され、背中全体のケアができない不満が残る。
【０００７】
よって本考案は、上述した従来技術の欠点、不都合、不満を解消するべく開発されたクッションであって、背中の凝りをほぐすだけでなく、背中の筋力を適度に鍛錬できるようにすることを目的とする。
【課題を解決するための手段】
【０００８】
上記課題を解決するため、本考案のクッションは、内部に弾材が詰め込まれた長方体形状の本体の一表面に、中央部に長さ方向に沿って大きく湾曲する第一の膨出部を設けると共に、両端部に小さく湾曲する第二の膨出部を設けて、前記第一の膨出部と第二の膨出部との間に下方に湾曲する第一の凹部を形成し、前記第一の膨出部内に、前記本体内の弾材よりも強い弾力の小片を詰め込んだボールを埋設したことを特徴とする。
【０００９】
また、上記した構成にあって、本体の反対側表面に、なだらかに湾曲する第二の凹部を形成したことを特徴とする。
【考案の効果】
【００１０】
上記した本考案のクッションは、内部に弾材が詰め込まれた本体の中央部に設けられた大きく湾曲する第一の膨出部内に、本体内の弾材よりも強い弾力の小片を詰め込んだボールを埋設した構成であるので、仰臥姿勢で本クッションを背骨に沿って当てがうと、一方端の小さく湾曲する第二の膨出部が首筋から後頭部を支持し、他方端の第二の膨出部がウエスト部を支持し、背中の中央部が大きく湾曲する第一の膨出部に支持されて反り返ることになる。しかも、第一の膨出部内に埋設されたボールには本体内の弾材よりも強い弾力の小片が詰め込まれているので、ボールは本体に比較すれば硬くて変形しにくく、従ってボールに対向する背中部分に確実に当たる。
【００１１】
それ故、上記した仰臥姿勢で腕を適度に運動させると、若干不安定であるため、バランスをとるため背中全体にボールを含めて刺激を与えることになり、血行を促進するのである。
【００１２】
また、膨出部の存在により長さ方向の強度が或る程度維持されるので変形しにくく、垂直に或いは水平に両端を夫々持って両腕を平行に振ることにより、、弾材が重心となってストレッチ体操ができる。
【００１３】
更には、本体の一表面に、一対の下方に湾曲する第一の凹部を形成すると共に、反対側表面に、なだらかに湾曲する第二の凹部を形成したので、起立姿勢で第二の凹部を腰に水平に当てがい、第一の凹部に夫々肘の内面を当てがって腕を軸回転させることにより、両肩甲骨が離反することになるので、肩甲骨部分の血行を高め、筋力を向上させることになる等、本考案は多くの優れた作用効果を奏する。
【図面の簡単な説明】
【００１４】
【図１】本考案にかかるクッションの一例を示す斜視図である。
【図２】クッションの長さ方向に沿った断面斜視図である。
【図３】本考案にかかるクッションを用い、トレーニングを行う状態を示す説明図である。
【図４】本考案にかかるクッションを用い、他のトレーニングを行う状態を示す説明図である。
【図５】本考案にかかるクッションを用い、他のトレーニングを行う状態を示す説明図である。
【図６】本考案にかかるクッションを用い、他のトレーニングを行う状態を示す説明図である。
【図７】本考案にかかるクッションを用い、他のトレーニングを行う状態を示す説明図である。
【図８】本考案にかかるクッションを用い、他のトレーニングを行う状態を示す説明図である。
【考案を実施するための形態】
【００１５】
本考案のクッション１は、内部に弾材３が詰め込まれた長方体形状の本体２の一表面に、中央部に長さ方向に沿って大きく湾曲する第一の膨出部４を設けると共に、両端部に小さく湾曲する第二の膨出部５を設けて、第一の膨出部４と第二の膨出部５との間に下方に湾曲する第一の凹部６を形成し、第一の膨出部４内に、本体２内の弾材３よりも強い弾力の小片８を詰め込んだボール７を埋設した構成であり、本体２の反対側表面に、なだらかに湾曲する第二の凹部９を形成する。また、本体２の一方端には把手１０が付設されている。
【実施例】
【００１６】
本体２とボール７の表地としてはポリエステル、本体２の内部に詰め込まれる弾材３としてはポリエステル綿、ボール７の内部に詰め込まれる、本体２内の弾材３よりも強い弾力の小片８としてはポリウレタンチップが、夫々使用される。
【００１７】
図３は本考案にかかるクッションを用いて両肩甲骨を寄せるトレーニングを行う状態を示すもので、仰臥姿勢でクッション１を背骨に沿って当てがい、一方端の小さく湾曲する第二の膨出部５を首筋から後頭部に、他方端の第二の膨出部５をウエスト部に当て、両肩甲骨間に第一の膨出部４内に埋設されたボール７を当てがって背中を反り返させる。
【００１８】
そこで図３（ａ）に示したように、膝を軽く曲げ、両腕を垂直に伸ばす。この状態で同（ｂ）のように肘を曲げ、上腕を水平に、下腕を垂直にして降ろす。そして、腕を伸ばしながら図３（ａ）の状態に戻す、この動作を繰り返すのである。この動作では、図３（ａ）の状態で両肩甲骨が相互に離反し、同（ｂ）の状態で両肩甲骨が相互に近接する。即ち、左右方向へのストレッチである。
【００１９】
従って、背中を反り返っていることと両肩甲骨間に比較的硬質のボール７が位置することとが相俟って、両肩甲骨間の筋肉の血行を良くし、凝りをほぐし、当該部分の筋力を向上させ、特に両肩甲骨が相互に近接する（ｂ）の状態では胸を張ることになるので、胸の筋力も向上し、特に女性の場合には美麗なバストラインが得られることが期待できるのである。
【００２０】
次に図４で示したトレーニングは、図３と同様に仰臥姿勢でクッション１を背骨に沿って当てがい、膝を軽く曲げ、両腕を垂直に伸ばした図４（ａ）の状態から同（ｂ）のように両腕を伸ばしたまま平行に頭部方向にバンザイの要領で伸ばし、次いで両腕を伸ばしたまま平行に腰の横にまで降ろす同（ｃ）の動作を繰り返す。即ち、身長に沿った上下方向へのストレッチである。
【００２１】
ここでは、背中の反身が強調され、胸張り動作、腹筋動作による筋肉のほぐれが達成される。特に、第一の膨出部４と第二の膨出部５との間には下方に湾曲する第一の凹部６が形成されているので、背中の反身が更に強調される。
【００２２】
図５のトレーニングは、起立姿勢でクッション１を縦にして両端を保持し、上位の一方の腕を水平にして前方に伸ばす(図５（ａ）)。この腕を伸ばしたままの状態から同（ｂ）のようにクッション１をゆっくりと上下反転するように半回転させて上位となった他方の腕を水平にし、この動作を繰り返す。即ち、肩甲骨の内旋外旋ストレッチである。
【００２３】
ここでは、肩の回転により、肩や背中の筋肉のほぐれが達成される。クッション１を用いることなくこの動作をすることも勿論可能ではあるが、動作を繰り返しているうちに、筋肉への負担に耐えられずにどうしても楽な状態になろうとして両腕の平行性がなくなって近づいてしまい、すぼまった猫背状態となってしまうが、ここではクッション１が一種の支えになって、両腕の平行性が維持され、有効なストレッチが行える。
【００２４】
図６のトレーニングは、図５と同様に起立姿勢でクッション１を縦にして両端を手で保持し、上位の一方の腕を水平よりもやや高くして前方に伸ばす(図６（ａ）)。そして、足を肩幅ほどに広げてこの腕を伸ばしたままの状態から、同（ｂ）の如く腕を交叉するようにクッション１をできるところまでゆっくりと回転させ、足元に視線を落とし、肘をやや曲げながら背中を丸め、丸めた背中の頂点を後ろ上方に伸ばすようにして５〜１０秒間維持する。次いで、ゆっくり戻して図６（ａ）の状態となったら、腕を逆方向に交叉するようにクッション１をできるところまでゆっくりと回転させ、同（ｂ）と同様の姿勢をとり、これ等の動作を繰り返す。即ち、肩甲骨を広げるストレッチである。
【００２５】
ここでは、肩の回転により、肩や背中の筋肉のほぐれ、両肩甲骨の離反が達成され、また上腕の特に上部の筋肉の伸縮が図れる。ここでもクッション１が支えになって特に両腕の伸長が確実に行える。
【００２６】
図７のトレーニングは、起立姿勢でクッション１を水平にして本体２の反対側表面に形成されたなだらかに湾曲する第二の凹部９を背中のウエスト部分に当てると共に、両腕を伸ばして肘の内側を夫々第一の凹部６に当てがう(図７（ａ）)。この状態で腕を伸ばしたまま掌を外に向けるように捻って軸回転させ、 (図７（ｂ）)、反対側に逆回転させる(図７（ｃ）)。これ等の動作を繰り返すことにより、肩甲骨の内転外転ストレッチを行う。
【００２７】
ここでは、動作時に両腕が第一の凹部６に規制されることにより前方に移動することはなくて常に胸を左右に張った状態が維持され、従って腕の軸回転により、肩や背中、特に肩甲骨の筋肉のほぐれが達成される。
【００２８】
図８のトレーニングは、脚を開いた起立姿勢で本体２の両端を手で保持し、腕を伸ばしたままで掌に重心となるボール７の重みを感じながらクッション１を水平にして臀部に当てがう(図８（ａ）)。そして、目線を若干上にあげて胸を張り、腕を伸ばしたまま臀部から後方に離し、その姿勢を数秒間維持して戻す(図８（ｂ）)、この動作を繰り返す。即ち、胸の張り、両肩甲骨の寄せ方向へのストレッチである。
【００２９】
ここでは、肩や背中の筋肉のほぐれ、両肩甲骨の近寄せ運動が達成され、ここでもクッション１が支えになって特に両腕の伸長が確実に行える。
【００３０】
上述した各ストレッチを連続して行うことにより、短時間で極めて有効なストレッチ体操が行え、肩や背中の凝りを解消し、胸の張りを促進する等の効果が得られるのである。
【符号の説明】
【００３１】
１  クッション
２  本体
３  弾材
４  第一の膨出部
５  第二の膨出部
６  第一の凹部
７  ボール
８  小片
９  第二の凹部
１０  把手
【図１】
0003160051.tif 000003
【図２】
0003160051.tif 000004
【図３】
0003160051.tif 000005
【図４】
0003160051.tif 000006
【図５】
0003160051.tif 000007
【図６】
0003160051.tif 000008
【図７】
0003160051.tif 000009
【図８】
0003160051.tif 000010